(57)【要約】    【課題】  広画角で、しかも色収差を良好に補正し、画面全体にわたり高い光学性能を有する光学系を得ること。    【解決手段】  物体側から像側へ順に配置された、第１レンズ群、開口絞り、第２レンズ群から構成される光学系において、レンズの材料のアッベ数をνｄ、レンズの材料のｇ線とＦ線に関する部分分散比をθｇＦとし、異常部分分散比をΔθｇＦとし、第１レンズ群は負レンズを有し、第２レンズ群は正レンズを有し、第１レンズ群に含まれる負レンズの材料の異常部分分散比をΔθｇＦＬ１ｎ、第２レンズ群に含まれる正レンズの材料のアッベ数と異常部分分散比を各々νｄＬ２ｐ、ΔθｇＦＬ２ｐとし、各々適切に設定すること。【選択図】    図１
2018004726.tif 000002
【特許請求の範囲】
【請求項１】
物体側から像側へ順に配置された、第１レンズ群、開口絞り、第２レンズ群から構成される光学系において、レンズの材料のアッベ数をνｄ、レンズの材料のｇ線とＦ線に関する部分分散比をθｇＦとし、異常部分分散比ΔθｇＦを、
ΔθｇＦ＝θｇＦ−（−１．６６５×１０-7×νｄ3＋５．２１３×１０-5×νｄ2−５．６５６×１０-3×νｄ＋０．７２７８）
として、
前記第１レンズ群は負レンズを有し、前記第２レンズ群は正レンズを有し、前記第１レンズ群に含まれる負レンズの材料の異常部分分散比をΔθｇＦＬ１ｎ、前記第２レンズ群に含まれる正レンズの材料のアッベ数と異常部分分散比を各々νｄＬ２ｐ、ΔθｇＦＬ２ｐとするとき、
前記第１レンズ群は、
０．０１≦ΔθｇＦＬ１ｎ≦０．１０
なる条件式を満足する材料から形成された負レンズＬ１ｎを有し、
前記第２レンズ群は、
０．０２７２＜ΔθｇＦＬ２ｐ≦０．１０００
１５．０≦νｄＬ２ｐ≦３０．０
なる条件式を満足する材料から形成された正レンズＬ２ｐを有し、
前記第１レンズ群の焦点距離をｆ１、前記正レンズＬ２ｐの焦点距離をｆＬ２ｐとするとき、
０．５≦｜ｆＬ２ｐ／ｆ１｜≦７．０
なる条件式を満足することを特徴とする光学系。
【請求項２】
前記第１レンズ群の最も物体側には、物体側に凸面を向けたメニスカス形状の負レンズＧ１が配置されていることを特徴とする請求項１に記載の光学系。
【請求項３】
前記負レンズＧ１の物体側のレンズ面の曲率半径をｒ１、前記負レンズＧ１の像側のレンズ面の曲率半径をｒ２とするとき、
０．４≦（ｒ１−ｒ２）／（ｒ１＋ｒ２）≦１．０
なる条件式を満足することを特徴とする請求項２に記載の光学系。
【請求項４】
前記負レンズＧ１の焦点距離をｆＧ１、全系の焦点距離をｆとするとき、
１．２≦｜ｆＧ１／ｆ｜≦２．５
なる条件式を満足することを特徴とする請求項２または３に記載の光学系。
【請求項５】
前記負レンズＬ１ｎの焦点距離をｆＬ１ｎとするとき、
０．３≦｜ｆＬ１ｎ／ｆ１｜≦５．０
なる条件式を満足することを特徴とする請求項１乃至４のいずれか１項に記載の光学系。
【請求項６】
フォーカシングに際して、前記第１レンズ群に含まれる一部のレンズから構成される部分群が移動し、前記部分群は負の屈折力を有することを特徴する請求項１乃至５のいずれか１項の光学系。
【請求項７】
前記第１レンズ群は、物体側から像側へ順に配置された、負レンズ、負レンズ、負レンズ、正レンズ、負レンズ、正レンズから構成されることを特徴とする請求項１乃至６のいずれか１項に記載の光学系。
【請求項８】
前記第１レンズ群は、物体側から像側へ順に配置された、負レンズ、負レンズ、負レンズ、正レンズ、負レンズから構成されることを特徴とする請求項１乃至６のいずれか１項に記載の光学系。
【請求項９】
前記第２レンズ群は、物体側から像側へ順に配置された、負レンズ、正レンズ、正レンズ、負レンズ、正レンズ、負レンズ、正レンズ、正レンズから構成されることを特徴とする請求項１乃至８のいずれか１項に記載の光学系。
【請求項１０】
前記第２レンズ群は、物体側から像側へ順に配置された、正レンズ、負レンズ、正レンズ、負レンズ、正レンズ、負レンズ、正レンズ、正レンズから構成されることを特徴とする請求項１乃至８のいずれか１項に記載の光学系。
【請求項１１】
前記第２レンズ群は、物体側から像側へ順に配置された、正レンズ、負レンズ、正レンズ、正レンズ、負レンズ、正レンズ、負レンズ、正レンズ、正レンズから構成されることを特徴とする請求項１乃至８のいずれか１項に記載の光学系。
【請求項１２】
請求項１乃至１１のいずれか１項に記載の光学系と、該光学系によって形成された像を受光する撮像素子を有することを特徴とする撮像装置。
【請求項１３】
撮像画角を２ωとするとき、
１６０°≦２ω≦１８０°
なる条件式を満足することを特徴とする請求項１２に記載の撮像装置。
【発明の詳細な説明】
【技術分野】
【０００１】
本発明は、光学系及びそれを有する撮像装置に関し、例えば、銀塩フィルム用カメラ、デジタルスチルカメラ、ビデオカメラ、監視用カメラ、ＴＶカメラ、プロジェクター等に好適なものである。
【背景技術】
【０００２】
近年、デジタルカメラをはじめとする撮像光学系や液晶プロジェクター等の投射光学系においては、広画角で高い光学性能を有する光学系であることが要望されている。ここでレンズ全長とは撮像光学系のときは第１レンズ面から像面までの距離であり、投射光学系のときはスクリーン側の第１レンズ面から被投射画面までの距離をいう。
【０００３】
従来より広角化（広画角化）に有利な光学系として、レトロフォーカス型（ネガティブリード型）の光学系が知られている。このレトロフォーカス型の光学系では、光学系の前方（撮像光学系のときは物体側）（投射光学系ではスクリーン側）に全体として負の屈折力又は正の屈折力の弱いレンズ群を配置している。後方（撮像光学系のときは像面）（投射光学系のときは被投射画面側）に正の屈折力のレンズ群を配置している。これにより全系の広画角化を図りつつ、長いバックフォーカスを得ている。
【０００４】
レトロフォーカス型の光学系は、光学系全体が開口絞りに対して非対称な屈折力配置よりなっている。このため、諸収差の発生が多くなり、特に負の歪曲収差（樽型の歪曲収差）や倍率色収差が多く発生してくる。
【０００５】
従来、レトロフォーカス型の光学系において歪曲収差を補正しつつ、負の倍率色収差を補正する光学系が知られている（特許文献１，２）。特許文献１，２では、瞳近軸光線のレンズ面への入射高（光軸からの距離）ｈが比較的高くなる、開口絞りよりも後方のレンズ群に、異常部分分散比を持った低分散材料で構成した正の屈折力のレンズ（正レンズ）を用いている。これにより色収差を補正しつつ広画角化を図っている。
【０００６】
近年、異常部分分散比を持つ固体材料（光学材料）として、透明媒体にIndium-Tin Oxide（ＩＴＯ）微粒子やＴｉＯ２微粒子等を分散させた混合体や、樹脂から成る固体材料を組み合わせたものが知られている。そしてこれらの材料を使用した光学系が知られている（特許文献３）。特許文献３ではこれらの材料より成るレンズを用いて色収差を良好に補正した光学系を開示している。
【先行技術文献】
【特許文献】
【０００７】
【特許文献１】特開平０６−０８２６８９号公報
【特許文献２】特開２００２−２８７０３１号公報
【特許文献３】特開２００７−１６３９６４号公報
【発明の概要】
【発明が解決しようとする課題】
【０００８】
レトロフォーカス型の光学系は、開口絞りより前方に負の屈折力又は正の屈折力の弱いレンズ群が配置され、開口絞りより後方に正の屈折力のレンズ群が配置されており、長いバックフォーカスを確保しつつ広画角化を図るのが容易である。一般に、レトロフォーカス型の光学系において、色収差を補正するためには、蛍石のようなアッベ数の大きい低分散で異常部分分散比の材料を用いるのが有効である。しかしながらレトロフォーカス型の光学系において、単に異常部分分散比の材料を用いただけでは広画角化を図りつつ、倍率色収差等の色収差を良好に補正し、高い光学性能を得るのは難しい。
【０００９】
レトロフォーカス型の光学系において、広画角化を図りつつ、色収差を良好に補正し、高い光学性能を得るには、開口絞りよりも物体側と像側のレンズ群のレンズ構成を適切に設定することが重要となってくる。この構成が不適切であると、広画角化を図りつつ色収差を良好に補正して画面全体で高い光学性能を得るのが困難になってくる。
【００１０】
本発明は、広画角で、しかも色収差を良好に補正し、画面全体にわたり高い光学性能を有する光学系の提供を目的とする。
【課題を解決するための手段】
【００１１】
本発明の光学系は、物体側から像側へ順に配置された、第１レンズ群、開口絞り、第２レンズ群から構成される光学系において、レンズの材料のアッベ数をνｄ、レンズの材料のｇ線とＦ線に関する部分分散比をθｇＦとし、異常部分分散比ΔθｇＦを、
ΔθｇＦ＝θｇＦ−（−１．６６５×１０-7×νｄ3＋５．２１３×１０-5×νｄ2−５．６５６×１０-3×νｄ＋０．７２７８）
として、
前記第１レンズ群は負レンズを有し、前記第２レンズ群は正レンズを有し、前記第１レンズ群に含まれる負レンズの材料の異常部分分散比をΔθｇＦＬ１ｎ、前記第２レンズ群に含まれる正レンズの材料のアッベ数と異常部分分散比を各々νｄＬ２ｐ、ΔθｇＦＬ２ｐとするとき、
前記第１レンズ群は、
０．０１≦ΔθｇＦＬ１ｎ≦０．１０
なる条件式を満足する材料から形成された負レンズＬ１ｎを有し、
前記第２レンズ群は、
０．０２７２＜ΔθｇＦＬ２ｐ≦０．１０００
１５．０≦νｄＬ２ｐ≦３０．０
なる条件式を満足する材料から形成された正レンズＬ２ｐを有し、
前記第１レンズ群の焦点距離をｆ１、前記正レンズＬ２ｐの焦点距離をｆＬ２ｐとするとき、
０．５≦｜ｆＬ２ｐ／ｆ１｜≦７．０
なる条件式を満足することを特徴としている。
【発明の効果】
【００１２】
本発明によれば、広画角で、しかも色収差を良好に補正し、画面全体にわたり高い光学性能を有する光学系が得られる。
【図面の簡単な説明】
【００１３】
【図１】本発明の実施例１のレンズ構成図
【図２】本発明の実施例１の無限遠での諸収差図
【図３】本発明の実施例２のレンズ構成図
【図４】本発明の実施例２の無限遠での諸収差図
【図５】本発明の実施例３のレンズ構成図
【図６】本発明の実施例３の無限遠での諸収差図
【図７】本発明の撮像装置の要部概略図
【発明を実施するための形態】
【００１４】
以下に、本発明の好ましい実施の形態を、添付の図面に基づいて詳細に説明する。本発明の光学系は、物体側より像側へ順に配置された、第１レンズ群、開口絞り、第２レンズ群から構成される。また、本発明の光学系は最も前方のレンズ面を通過する近軸軸上光線の光軸からの高さが、光軸と瞳近軸光線との交点より後方で近軸軸上光線がレンズ面を通過する光軸からの高さの最大値よりも小さいレトロフォーカス型より成っている。
【００１５】
なお、近軸軸上光線とは、光学系全系の焦点距離を１に正規化したとき、光学系の光軸と平行に、光軸からの高さを１として入射させた近軸光線である。また瞳近軸光線とは、光学系全系の焦点距離を１に正規化したとき、光軸に対して−４５°で入射する光線の内、光学系の入射瞳と光軸との交点を通過する近軸光線である。光学系の入射角度は、光軸から測って時計回りを正、反時計回りを負とする。なお、物体は光学系の左側にあるものとし、物体側から光学系に入射する光線は左側から右へ進むものとする。
【００１６】
図１は、本発明の光学系の実施例１のレンズ断面図、図２は実施例１の光学系の無限合焦状態の収差図である。図３は、本発明の光学系の実施例２のレンズ断面図、図４は実施例２の光学系の無限合焦状態の収差図である。図５は、本発明の光学系の実施例３のレンズ断面図、図６は実施例３の光学系の無限合焦状態の収差図である。図７は本発明の撮像装置の要部概略図である。
【００１７】
各実施例の光学系は、デジタルスチルカメラ、ビデオカメラ、銀塩フィルム用カメラ等の撮像装置（光学装置）に用いられる撮像光学系である。レンズ断面図において、左方が物体側（前方）で、右方が像側（後方）である。尚、各実施例の光学系をプロジェクターなどの投射レンズとして用いても良い。このときは左方がスクリーン、右方が被投射画像となる。
【００１８】
レンズ断面図において、ＬＡは光学系である。光学系ＬＡは開口絞りＳＰを挟んで物体側に正又は負の屈折力の第１レンズ群Ｌ１と像側に正の屈折力の第２レンズ群Ｌ２を有している。ＬＦはフォーカシングに際して移動するフォーカス群である。フォーカス群ＬＦは第１レンズ群Ｌ１の一部のレンズ部よりなっている。
【００１９】
ＩＰは像面であり、ビデオカメラやデジタルスチルカメラの撮影光学系として使用する際にはＣＣＤセンサやＣＭＯＳセンサなどの固体撮像素子（光電変換素子）の撮像面が、銀塩フィルム用カメラのときはフィルム面に相当する。
【００２０】
それぞれの縦収差図は、左から順に、球面収差、非点収差、歪曲、倍率色収差を表している。球面収差と倍率色収差を示す図において、実線のｄはｄ線（波長５８７．６ｎｍ）、破線のｇはｇ線（波長４３５．８ｎｍ）、点線のＦはＦ線（波長４８６．１ｎｍ）を表している。また、非点収差を示す図において、実線のＳはｄ線のサジタル方向ΔＳ、破線のＭはｄ線のメリディオナル方向ΔＭを表している。また、歪曲を示す図は、ｄ線における歪曲を表している。ＦｎｏはＦナンバー、ωは撮影画角の半画角（度）である。
【００２１】
本発明の光学系は、レトロフォーカス型の光学系であって、屈折力（焦点距離の逆数）を有する屈折光学素子に異常部分分散比の大きい（高い）固体材料を使用している。尚、ここで屈折光学素子とは屈折作用で屈折力が生じる、例えば屈折レンズやレンズ表面に設けられた層等を意味し、回折作用で屈折力が生じる回折光学素子を含まない。また、固体材料とは、光学系を使用する状態で固体の材料を指し、製造時などの光学系を使用する前での状態は、どのような状態であっても良い。例えば、製造時には液体材料であっても、それを硬化させて固体材料としたものも、ここでいう固体材料に該当する。
【００２２】
レトロフォーカス型の屈折力配置をしている光学系では、一般的に開口絞りより物体側の瞳近軸光線の入射高の高い負レンズの材料に異常部分分散比の材料を用いると倍率色収差の補正が容易となる。また、一般に開口絞りより像側の瞳近軸光線の入射高の高い正レンズの材料に異常部分分散比の材料を用いると軸上色収差、倍率色収差の補正が容易になる。
【００２３】
各実施例において、フラウンホーファ線のｇ線（波長４３５．８ｎｍ）、ｄ線（波長５８７．６ｎｍ）、Ｆ線（波長４８６．１ｎｍ）、Ｃ線（波長６５６．３ｎｍ）に対する材料の屈折率をそれぞれ、Ｎｇ，Ｎｄ，ＮＦ，ＮＣとする。材料のアッベ数をνｄ、部分分散比をθｇＦとする。このとき、
νｄ＝（Ｎｄ−１）／（ＮＦ−ＮＣ）
θｇＦ＝（Ｎｇ−ＮＦ）／（ＮＦ−ＮＣ）
である。
【００２４】
また異常部分分散比ΔθｇＦは以下のように定義される。
ΔθｇＦ＝θｇＦ−（−１．６６５×１０-7×νｄ3＋５．２１３×１０-5×νｄ2−５．６５６×１０-3×νｄ＋０．７２７８）
【００２５】
各実施例の光学系において、第１レンズ群Ｌ１は負レンズを有し、第２レンズ群Ｌ２は正レンズを有する。第１レンズ群Ｌ１に含まれる負レンズＬ１ｎの材料の異常部分分散比をΔθｇＦＬ１ｎ、第２レンズ群Ｌ２に含まれる正レンズＬ２ｐの材料のアッベ数と異常部分分散比を各々νｄＬ２ｐ、ΔθｇＦＬ２ｐとする。第１レンズ群Ｌ１の焦点距離をｆ１、正レンズＬ２ｐの焦点距離をｆＬ２ｐとする。このとき、第１レンズ群Ｌ１は条件式（１）を満足し、第２レンズ群Ｌ２は条件式（２）、（３）を満足する。正レンズＬ２ｐは条件式（４）を満足する。
【００２６】
ここで、条件式（１）乃至（４）は次のとおりである。
０．０１≦ΔθｇＦＬ１ｎ≦０．１０          ・・・（１）
０．０２７２＜ΔθｇＦＬ２ｐ≦０．１０００  ・・・（２）
１５．０≦νｄＬ２ｐ≦３０．０              ・・・（３）
０．５≦｜ｆＬ２ｐ／ｆ１｜≦７．０          ・・・（４）
【００２７】
次に前述の各条件式の技術的意味について説明する。条件式（１）は、開口絞りＳＰより物体側に位置する第１レンズ群Ｌ１に含まれる負レンズの材料の異常部分分散比に関する。条件式（１）の上限を超えると、異常部分分散比が強すぎてしまい、色収差の補正が困難になる。条件式（１）の下限を超えると異常部分分散比が弱まり倍率色収差の補正が困難になる。
【００２８】
条件式（２）は、開口絞りＳＰより像側に位置する第２レンズ群Ｌ２に含まれる正レンズの材料の異常部分分散比に関する。条件式（２）の上限を超えると、異常部分分散比が強すぎてしまい色収差の補正が困難になる。条件式（２）の下限を超えると異常部分分散比が弱まり倍率色収差の補正が困難になる。条件式（３）は、開口絞りＳＰより像側に位置する第２レンズ群Ｌ２に含まれる正レンズの材料のアッベ数に関する。条件式（３）を満足する材料を用いると、色収差の補正を良好に行うのが容易になる。
【００２９】
条件式（４）は、開口絞りＳＰより物体側に位置する第１レンズ群Ｌ１の屈折力と開口絞りＳＰより像側に位置する第２レンズ群Ｌ２に含まれる正レンズＬ２ｐの屈折力の比に関する。条件式（４）の上限を超えると、正レンズＬ２ｐの屈折力が弱まりすぎてしまい、色収差の補正が困難になる。条件式（４）の下限を超えると正レンズＬ２ｐの屈折力が強くなりすぎてしまい色収差の補正が困難になる。
【００３０】
更に好ましくは条件式（１）乃至（４）の数値範囲を次の如く設定するのが良い。
０．０１≦ΔθｇＦＬ１ｎ≦０．０３      ・・・（１ａ）
０．０４＜ΔθｇＦＬ２ｐ≦０．０７      ・・・（２ａ）
１７．０≦νｄＬ２ｐ≦２５．０          ・・・（３ａ）
０．６≦｜ｆＬ２ｐ／ｆ１｜≦６．５      ・・・（４ａ）
【００３１】
以上の如く各要素を特定することにより、色収差をはじめとする諸収差を良好に補正し、全系の小型化を図った光学系を得ている。
【００３２】
各実施例において好ましくは次の条件式のうち１つ以上を満足するのが良い。第１レンズ群Ｌ１は最も物体側には、物体側に凸面を向けたメニスカス形状の負レンズＧ１を有し、負レンズＧ１の物体側のレンズ面の曲率半径をｒ１、負レンズＧ１の像側のレンズ面の曲率半径をｒ２とする。負レンズＬ１ｎの焦点距離をｆＬ１ｎとする。負レンズＧ１の焦点距離をｆＧ１、全系の焦点距離をｆとする。このとき、次の条件式のうち１つ以上を満足するのが良い。
【００３３】
０．４≦（ｒ１−ｒ２）／（ｒ１＋ｒ２）≦１．０  ・・・（５）
０．３≦｜ｆＬ１ｎ／ｆ１｜≦５．０              ・・・（６）
１．２≦｜ｆＧ１／ｆ｜≦２．５                  ・・・（７）
【００３４】
次に前述の各条件式の技術的意味について説明する。条件式（５）は、最も物体側に位置する負レンズＧ１の形状因子に関する。条件式（５）の上限を超えると、負レンズＧ１の物体側のレンズ面が物体側に凹形状となり、非点収差・像面湾曲等の補正が困難になる。条件式（５）の下限を超えると、負レンズＧ１の屈折力が弱くなりすぎてしまい歪曲の発生が少なくなり高画角化が困難になる。
【００３５】
条件式（６）は、開口絞りＳＰより物体側に位置する第１レンズ群Ｌ１の屈折力と開口絞りＳＰより物体側に位置する第１レンズ群Ｌ１に含まれる少なくとも１枚の負レンズＬ１ｎの屈折力の比に関する。条件式（６）の上限を超えると、負レンズＬ１ｎの負の屈折力が弱まりすぎてしまい（負の屈折力の絶対値が小さくなり）、色収差の補正が困難になる。条件式（６）の下限を超えると負レンズＬ１ｎの負の屈折力が強くなりすぎてしまい（負の屈折力の絶対値が大きくなり）色収差の補正が困難になる。
【００３６】
条件式（７）は、全系の焦点距離と最も物体側に位置する負レンズＧ１の焦点距離の比に関する。条件式（７）の上限を超えると、負レンズＧ１の負の屈折力が弱まりすぎてしまい、歪曲の発生が弱まり広画角化が困難になる。条件式（７）の下限を超えると負レンズＧ１の負の屈折力が強くなりすぎてしまい非点収差・像面湾曲・色収差等の補正が困難になる。
【００３７】
更に好ましくは、条件式（５）乃至（７）の数値範囲を次の如く設定するのが良い。
０．４５≦（ｒ１−ｒ２）／（ｒ１＋ｒ２）≦０．７０  ・・・（５ａ）
０．４≦｜ｆＬ１ｎ／ｆ１｜≦４．５                  ・・・（６ａ）
１．５≦｜ｆＧ１／ｆ｜≦２．２                      ・・・（７ａ）
【００３８】
各実施例において、第１レンズ群Ｌ１に含まれる一部の負の屈折力の部分群はフォーカシングに際して移動している。これにより迅速なるフォーカシングを容易にしている。各実施例において、第１レンズ群Ｌ１は物体側から像側へ順に配置された、負レンズ、負レンズ、負レンズ、正レンズ、負レンズ、正レンズから構成される。または、第１レンズ群Ｌ１は物体側から像側へ順に配置された、負レンズ、負レンズ、負レンズ、正レンズ、負レンズから構成される。
【００３９】
また、第２レンズ群Ｌ２は物体側から像側へ順に配置された、負レンズ、正レンズ、正レンズ、負レンズ、正レンズ、負レンズ、正レンズ、正レンズから構成される。また、第２レンズ群Ｌ２は物体側から像側へ順に配置された、正レンズ、負レンズ、正レンズ、負レンズ、正レンズ、負レンズ、正レンズ、正レンズから構成される。また第２レンズ群Ｌ２は物体側から像側へ順に配置された、正レンズ、負レンズ、正レンズ、正レンズ、負レンズ、正レンズ、負レンズ、正レンズ、正レンズから構成される。
【００４０】
以上の構成により、全系が小型で色収差を始めとする諸収差を良好に補正した高い光学性能を有した光学系を得ている。
【００４１】
次に各実施例のレンズ構成について説明する。実施例１の光学系ＬＡは、物体側から像側へ順に配置された、負の屈折力の第１レンズ群Ｌ１、開口絞りＳＰ、正の屈折力の第２レンズ群Ｌ２からなる。
【００４２】
第１レンズ群Ｌ１は、物体側から像側へ順に配置された、物体側に凸面を向けたメニスカス形状の負の屈折力（負）の第１レンズＧ１、物体側に凸面を向けたメニスカス形状の負の第２レンズＧ２、負の第３レンズＧ３より構成される。更に正の屈折力（正）の第４レンズＧ４、負の第５レンズＧ５、正の第６レンズＧ６から構成されている。
【００４３】
第２レンズ群Ｌ２は、物体側から像側へ順に配置された、負の第７レンズＧ７と正の第８レンズＧ８を接合した接合レンズ、正の第９レンズＧ９と負の第１０レンズＧ１０を接合した接合レンズより構成される。更に正の第１１レンズＧ１１と負の第１２レンズＧ１２を接合した接合レンズ、正の第１３レンズＧ１３、正の第１４レンズＧ１４から構成される。フォーカシングは、第５レンズＧ５を光軸方向に動かして行う。
【００４４】
条件式（１）を満足する負レンズＬ１ｎは第２レンズＧ２であり、条件式（２）乃至（４）を満足する正レンズＬ２ｐは第１１レンズＧ１１である。実施例２の光学系ＬＡは、物体側から像側へ順に配置された、正の屈折力の第１レンズ群Ｌ１、開口絞りＳＰ、正の屈折力の第２レンズ群Ｌ２からなる。
【００４５】
第１レンズ群Ｌ１は物体側から像側へ順に配置された、物体側に凸面を向けたメニスカス形状の負の第１レンズＧ１、物体側に凸面を向けたメニスカス形状の負の第２レンズＧ２、負の第３レンズＧ３より構成される。更に正の第４レンズＧ４、負の第５レンズＧ５、正の第６レンズＧ６から構成されている。
【００４６】
第２レンズ群Ｌ２は物体側から像側へ順に配置された、正の第７レンズＧ７と負の第８レンズＧ８を接合した接合レンズ、正の第９レンズＧ９と負の第１０レンズＧ１０を接合した接合レンズ、正の第１１レンズＧ１１より構成される。更に負の第１２レンズＧ１２と正の第１３レンズＧ１３を接合した接合レンズ、正の第１４レンズＧ１４から構成される。フォーカシングは第５レンズＧ５を光軸方向に動かして行う。条件式（１）を満足する負レンズＬ１ｎは第３レンズＧ３であり、条件式（２）乃至（４）を満足する正レンズＬ２ｐは第１１レンズである。
【００４７】
実施例３の光学系ＬＡは物体側から像側へ順に配置された、負の屈折力の第１レンズ群Ｌ１、開口絞りＳＰ、正の屈折力の第２レンズ群Ｌ２からなる。第１レンズ群Ｌ１は物体側から像側へ順に配置された物体側に凸面を向けたメニスカス形状の負の第１レンズＧ１、物体側に凸面を向けたメニスカス形状の負の第２レンズＧ２、負の第３レンズＧ３、正の第４レンズＧ４、負の第５レンズＧ５から構成されている。
【００４８】
第２レンズ群Ｌ２は物体側から像側へ順に配置された、正の第６レンズＧ６、負の第７レンズＧ７と正の第８レンズＧ８を接合した接合レンズ、正の第９レンズＧ９と負の第１０レンズＧ１０を接合した接合レンズより構成される。更に正の第１１レンズＧ１１と負の第１２レンズＧ１２を接合した接合レンズ、正の第１３レンズＧ１３、正の第１４レンズＧ１４から構成される。フォーカシングは第５レンズＧ５を光軸方向に動かして行う。条件式（１）を満足する負レンズＬ１ｎは第２レンズＧ２であり、条件式（２）乃至（４）を満足する正レンズＬ２ｐは第１１レンズＧ１１である。
【００４９】
図７は各実施例の光学系を用いたデジタルスチルカメラの要部概略図である。図７において２０はカメラ本体、２１は各実施例で説明したいずれかの光学系によって構成された撮影光学系である。２２はカメラ本体２０に内蔵され、撮影光学系２１によって形成された被写体像を受光するＣＣＤセンサやＣＭＯＳセンサ等の固体撮像素子（光電変換素子）である。
【００５０】
本発明の光学系を撮像装置に用いたときの撮像画角２ωは、
１６０°≦２ω≦１８０°
程度である。この撮像範囲において良好な光学性能を得ている。
【００５１】
本実施例ではクイックリターンミラーのある一眼レフカメラやクイックリターンミラーのないミラーレスの一眼レフカメラ、そしてレンズシャッターカメラ等の撮像装置等に適用できる。この他、プロジェクター等の光学機器にも同様に適用することができる。
【００５２】
以下に、実施例１乃至３に各々対応する数値データ１乃至３を示す。各数値データにおいて、ｉは物体側からの順番を示し、ｒｉは各面の曲率半径、ｄｉは第ｉ面と第ｉ＋１面との間の部材肉厚又は空気間隔、ｎｄｉとνｄｉはそれぞれｄ線に対する屈折率、アッベ数を示す。ＢＦはバックフォーカスであり最終レンズ面から像面までの距離である。レンズ全長は第１レンズ面から最終レンズ面までの距離にバックフォーカスを加えた値である。
【００５３】
非球面形状は光軸方向にＸ軸、光軸と垂直方向にＨ軸、光の進行方向を正とし、Ｒを近軸曲率半径、Ｋを円錐定数、Ａ４、Ａ６、Ａ８、Ａ１０、Ａ１２を各々非球面係数としたとき、
【００５４】
【数１】
2018004726.tif 000003
【００５５】
なる式で表している。＊は非球面形状を有する面を意味している。「ｅ−ｘ」は１０-xを意味している。また、前述の各条件式と数値実施例との関係を表１に示す。
【００５６】
(数値データ１)
単位 mm 
面データ
面番号       r        d      nd         νd       有効径
1         52.367    2.50   1.75940    50.3       59.01 
2         15.254   14.82                         30.49 
3        116.523    1.61   1.56907    71.3       29.18 
4         21.037    5.86                         25.02 
5        -61.316    1.36   1.56907    71.3       24.75 
6         23.845    0.15                         23.67 
7         20.854    7.00   1.72215    30.3       23.97 
8        -67.817    5.65                         23.15 
9*       -37.363    1.20   1.85135    40.1       17.47 
10       -525.009    5.22                         16.96 
11         61.881    2.18   1.57227    42.1       11.36 
12        -33.091    1.85                         11.57 
13(絞り)    ∞       1.70                         11.64 
14        -16.361    0.75   1.87740    38.0       11.66 
15         32.365    3.03   1.64113    40.4       12.55 
16        -21.529    0.20                         13.21 
17         29.915    4.93   1.59915    37.0       14.01 
18        -12.746    0.80   1.87117    40.9       14.12 
19        -21.842    0.20                         14.51 
20*      -164.588    2.00   1.64040    18.9       14.27 
21        -33.508    0.93   1.85478    24.8       14.16 
22         26.340    0.35                         15.04 
23         31.987    4.77   1.43875    94.9       15.35 
24        -21.511    0.20                         16.87 
25         78.505    2.70   1.48749    70.2       18.51 
26        -88.617   58.19                         19.08 
像面        ∞   
【００５７】
非球面データ
第9面
K = 0.00000e+000  A 4= 2.59768e-008  A 6=-4.67378e-008  A 8=-1.29005e-010  A10= 1.25337e-011  A12=-9.78410e-014  
第20面 
K = 0.00000e+000  A 4= 1.35779e-006  A 6= 7.64850e-009  A 8= 3.80689e-010  A10= 7.47857e-012  A12=-1.01427e-013  
【００５８】
各種データ
焦点距離       15.18 
Fナンバー      4.12     
撮像画角（度）175 
像高          21.64 
レンズ全長   130.16 
BF            58.19 
【００５９】
(数値データ２)
単位 mm 
面データ
面番号       r        d      nd         νd       有効径
1         43.860    1.63   1.80400    46.6       32.10 
2         10.526    5.62                         19.39 
3         17.810    1.00   1.78032    25.1       17.16 
4         10.128    4.88                         14.57 
5        -50.986    1.00   1.59282    68.6       13.32 
6         12.094    0.09                         12.02 
7         11.631    4.99   1.76916    26.4       12.01 
8        -29.792    1.88                         10.54 
9*       -19.871    0.75   1.85135    40.1        7.46 
10        214.616    2.88                          6.94 
11         12.383    1.71   1.60573    66.1        6.30 
12        -33.148    1.08                          6.29 
13(絞り)    ∞       1.53                          6.13 
14         -5.707    1.10   1.84220    36.3        6.05 
15         -4.675    0.52   1.62865    35.6        6.39 
16         -6.630    0.16                          6.67 
17       -214.778    1.93   1.49608    68.3        7.16 
18         -5.980    0.80   1.90577    34.7        7.52 
19        -14.224    0.16                          8.64 
20        -72.802    1.58   1.64040    18.9        9.25 
21*       -25.934    0.15                          9.96 
22         33.517    0.80   1.85097    32.5       10.70 
23         10.095    2.44   1.49700    81.5       11.11 
24         37.512    0.09                         11.92 
25         18.224    2.07   1.49700    81.5       13.00 
26       -153.608   23.16                         13.31 
像面        ∞   
【００６０】
非球面データ
第9面
K = 0.00000e+000  A 4=-7.27470e-006  A 6= 2.90209e-006  A 8=-1.86342e-007  A10= 5.11231e-009  A12=-5.40322e-011  
第21面
K = 0.00000e+000  A 4= 3.13294e-006  A 6= 1.75386e-009  A 8= 2.73201e-010  A10= 1.07761e-010  A12=-3.30156e-013  
【００６１】
各種データ
焦点距離       9.50  
Fナンバー      4.10  
撮像画角（度）175  
像高          13.66  
レンズ全長    63.97  
BF            23.16  
【００６２】
(数値データ３)
単位 mm 
面データ
面番号       r        d      nd         νd       有効径
1         52.367    2.50   1.75940    50.3       56.38 
2         15.254   14.82                         30.22 
3        116.523    1.61   1.56907    71.3       26.44 
4         21.037    5.86                         22.45 
5        -61.316    1.36   1.56907    71.3       21.05 
6         23.845    0.15                         19.51 
7         20.854    7.00   1.72215    30.3       19.49 
8        -67.817    5.65                         17.64 
9*       -37.363    1.20   1.85135    40.1       11.08 
10       -525.009    3.76                         10.47 
11(絞り)    ∞       1.46                         10.77 
12         61.881    2.18   1.57227    42.1       11.36 
13        -33.091    3.55                         11.57 
14        -16.361    0.75   1.87740    38.0       11.66 
15         32.365    3.03   1.64113    40.4       12.55 
16        -21.529    0.20                         13.21 
17         29.915    4.93   1.59915    37.0       14.01 
18        -12.746    0.80   1.87117    40.9       14.12 
19        -21.842    0.20                         14.51 
20*      -164.588    2.00   1.64040    18.9       14.97 
21        -33.508    0.93   1.85478    24.8       15.37 
22         26.340    0.35                         16.42 
23         31.987    4.77   1.43875    94.9       16.67 
24        -21.511    0.20                         17.93 
25         78.505    2.70   1.48749    70.2       19.77 
26        -88.617   58.19                         20.27 
像面        ∞   
【００６３】
非球面データ
第9面
K = 0.00000e+000  A 4= 2.59768e-008  A 6=-4.67378e-008  A 8=-1.29005e-010  A10= 1.25337e-011  A12=-9.78410e-014  
第20面
K = 0.00000e+000  A 4= 1.35779e-006  A 6= 7.64850e-009  A 8= 3.80689e-010  A10= 7.47857e-012  A12=-1.01427e-013  
【００６４】
各種データ
焦点距離      15.18  
Fナンバー      4.12  
撮像画角（度）175
像高          21.64  
レンズ全長   130.16  
BF            58.19  
【００６５】
【表１】
2018004726.tif 000004
【符号の説明】
【００６６】
ＬＡ  光学系      Ｌ１  第１レンズ群      Ｌ２  第２レンズ群
ＳＰ  開口絞り    Ｌ１ｎ  負レンズ        Ｌ２ｐ  正レンズ
【図１】
2018004726.tif 000005
【図２】
2018004726.tif 000006
【図３】
2018004726.tif 000007
【図４】
2018004726.tif 000008
【図５】
2018004726.tif 000009
【図６】
2018004726.tif 000010
【図７】
2018004726.tif 000011